(57)【要約】      （修正有）【課題】テーピングが不要で簡易かつ強固に電線やケーブル、その他さまざまな工具を保持でき、効率よく作業できる先端工具を提供する。【解決手段】金属または樹脂等でできた筒状のホルダー１の外形に、ねじをきったものに、スリットを入れ、ナット２により締め付けることで、電線５を直接保持できる、異形のケーブルや異なったものには、スリーブ3やコレット4を用いることで同じように保持できる。また、そのホルダーに取り付けるため、その内径に入る軸を与えてやることで、その先端には、先の丸まった円錐状工具を付け、呼び線６を送り易くすることや、カメラ等の工具を取り付けることもできる。【選択図】図１
2015076945.tif 000002
【特許請求の範囲】
【請求項１】
金属または樹脂でできた筒状のホルダーの外形に、ねじをきったものに、スリットを入れ、ナットにより締め付けることで、電線やその他先端部にカメラや挿入案内具のような治具等を、直接保持でき、異形のケーブル等には、スリーブやコレットを用いることで同じように保持できる構造を特徴とするホルダー、ナット、スリーブ、コレットにて構成される通線用具。
【請求項２】
呼び線に接続される、請求項1に記載の通線用具。
【請求項３】
請求項2に記載される通線用具に取り付けることを目的とされる道具、もしくは工具等の、金属または樹脂でできた軸の部分。
【発明の詳細な説明】
【技術分野】
【０００１】
本発明は通線用具に関する。
【背景技術】
【０００２】
従来の通線用具は、通し穴に被覆を剥がした芯線を巻き付け、テーピングするものがある。また、柔軟性のあるワイヤー状の輪を調整部材で電線を縛り、テーピングするものも存在する（特許文献１、２参照）。
【先行技術文献】
【特許文献】
【０００３】
【特許文献１】特開平１０−１１２９１２
【特許文献２】特開平１０−２０１０３５
【発明の概要】
【発明が解決しようとする課題】
【０００４】
従来の通線用具は、電線5の被覆を剥がす通り穴に括り付けるものや、柔軟性のあるワイヤー状のもので縛り括るものがある。それだけでは通線途中で、抜けてしまうのでその後テーピングする手間と、テープを必要としていた。様々な種類の電線やケーブル5を保持できることとなってはいるが、その固定方法は上記のテープによるテーピングに頼っていた。そのテーピングが緩ければ、通線の途中で外れぬけてしまうことや、抜けてしまうことを防ぐために、電線やケーブル5等を括った周囲をビニールテープで巻きすぎることにより、通線の時にかさ張り、引っかかる要因にもなっていた。呼び線6をCD管7等に送り込む際には、柔軟性のあるワイヤー状のものが擦れ、断線してしまうことがあるため外す必要があった。また呼び線5の先端に、挿入案内具やカメラなどの工具を取り付けることには適していない。本発明は、それらの問題を解決し、被覆されたままで強固且つ迅速に電線を把握し、テーピングの手間と費用を省き、通線時にも引っ掛からずかさ張らず、確実な通線作業ができ、あらゆる先端工具等を取り付けられ、コレット4の使用により異形状の電線やケーブル5等にも対応した通線用具の機能を満たすものである。
【課題を解決するための手段】
【０００５】
金属または樹脂等でできた筒状の部材ホルダー1の外形に、ねじをきったものに、スリットを入れ、ナット2により締め付けることで、電線5を直接保持でき、異形のケーブル5や異なったものには、スリーブ3やコレット4を用いることで同じように保持できる。
【０００６】
呼び線6を、ホルダー1に接続させることにより、呼び線をCD管7などに送り、ホルダー1に、電線やケーブルを保持し、通線することができる。
【０００７】
呼び線6を送る際には、軸8を有する先の丸まった円錐状の挿入案内具やカメラのような工具を、ホルダー1に直接保持させることにより、CD管7などに通り易くすることができる。
【発明の効果】
【０００８】
電線5やケーブル6等をスリットの入ったホルダー1に差し込み、ナット2で締め付けることにより、強固且つ迅速、安易、確実に電線を把握でき、テーピングの必要がない。また、ホルダー1の先端には、その内径に入る軸8を有するものであれば、取り付けることができる。
【図面の簡単な説明】
【０００９】
【図１】治具の構造を示した立体分解図である。
【図２】治具の構造を示した断面図である。
【図３】異形のケーブル5等を保持する方法を示す立体図である。
【図４】異形の電線5等を保持する方法を示す立体図である。
【図５】請求項２の軸8を有する挿入案内具の一例を示す立体図である。
【図６】請求項２の軸8を有するカメラの一例を示す立体図である。
【発明を実施するための形態】
【００１０】
以下、この発明の通線用具の実施の形態を、図面に基づいて詳細に説明する。
ホルダー1は、配線工事の通線作業に活用されるもので、図１に示す。アルミや鉄などの金属、またはポリエチレンやポリプロピレン様の樹脂などででき電線保持側の片端もしくは両端に、スリットと外形の先端にオネジが入ったものを呼び線6の先端に取り付ける。
【００１１】
図１に示す、呼び線6保持側には、従来にある一般的な技術の、ネジによる結合、もしくはカシメによる結合や、上記の本技術によって、呼び線が連結される。
【００１２】
ナット2は、上記の図１に示すホルダー1の外形に入ったオネジを締め、スリットを締め付けることにより、電線5を保持するために使用される、外周にローレット加工が施され手回しで締まる、アルミや鉄などの金属、またはポリエチレンやポリプロピレン様の樹脂などでできたもの。
【００１３】
スリーブ3は、外形がホルダーの内径より細い電線5や呼び線6を保持するために用いられる、アルミや鉄などの金属、またはポリエチレンやポリプロピレン様の樹脂などでできたもの円筒状のものでスリットが高さ方向に１本入り、断面がＣになっており絞り締める。
【００１４】
コレット3は、外形が円でなく平形状や２本であるなど、異形状な電線やケーブルを把握するため場合に用いられる、アルミや鉄などの金属、またはポリエチレンやポリプロピレン様の樹脂などでできたもので形状に合わせ、異形状な電線やケーブルを把握するため、それぞれの形状を絞り締めるため、適切な個所にスリットが入ったもの。
【００１５】
以上のように構成したこの発明の通線用具は、次のようにして使用される。初めに、ＣＤ管７などの片端から、呼び線を挿入する。その先端にはホルダー1が取り付けられており、ＣＤ管7の反対端に出す。電線やケーブル5など引き込まれるものの片端にナット2を入れ、電線やケーブル5をホルダー1に差し込み、ナット2を回し締めることによって図２に示すように電線やケーブル5等を堅固に保持し外れることなく、電線やケーブル5等をＣＤ管7等や壁の内部、天井裏等、引き込む必要のある狭く細い所などに引き込むこと、通線することができる。
【産業上の利用可能性】
【００１６】
配線工事時の、ビニールテープでの、仮のテーピングと、廃棄が不要になることでの時間短縮、環境対策、費用削減。先端工具が取り付けられる点を活かし通線作業の効率を上げることができる可能性を持つ。
【符号の説明】
【００１７】
1.  ホルダー。
2.  ナット。
3.  スリーブ。
4.  コレット。
5.  電線、もしくはケーブルなどの通線されるもの。
6.  呼び線。
7.  ＣＤ管などの外部被覆。
8.  請求項２にかかわる軸。
【図１】
2015076945.tif 000003
【図２】
2015076945.tif 000004
【図３】
2015076945.tif 000005
【図４】
2015076945.tif 000006
【図５】
2015076945.tif 000007
【図６】
2015076945.tif 000008